(57)【要約】【課題】信号変調フォーマットタイプの検出【解決手段】受信信号の変調フォーマットを検出するバイアスアルゴリズム及び装置が提供される。いくつかの態様において、該バイアス方法及び装置は、ＧＭＳＫ変調信号及び８ＰＳＫ変調信号の両方を送受信するＥＤＧＥテクノロジーを実施する携帯電話システムに用いられる。いくつかの態様において、該バイアス方法及び装置は、データブロックの１つ以上の前のバーストの変調検出中に集められた情報及び／又は判断された結果を用いて、同じデータブロックの現在のバーストの変調検出にバイアスをかけて、受信信号のデータブロック（３０５）のバースト（３１０）の変調フォーマットを推定する。いくつかの態様において、前のバーストの変調検出中に集められる情報は、該前のバーストの信号対雑音比又は雑音エネルギ情報を備える。【選択図】      図６Ａ
2008535323.tif 000002
【特許請求の範囲】
【請求項１】
実行されたときに、少なくとも２つの可能性のある変調フォーマットのうちの一方で変調される信号の変調フォーマットを推定する命令を格納したコンピュータ可読媒体を備える、コンピュータプログラムプロダクトであって、前記信号は複数のブロックを備え、各ブロックは複数のバーストを備え、前記コンピュータプログラムプロダクトは、
ブロックの第１のバーストの第１の変調フォーマット推定を判断し、
前記第１の変調フォーマット推定に関連する情報を用いて、前記ブロックの第２のバーストの第２の変調フォーマット推定を判断する、
ための命令セットを備える、コンピュータプログラムプロダクト。
【請求項２】
前記第１の変調フォーマット推定に関連する情報は、前記第１の変調フォーマット推定の結果、前記第１のバーストの信号対雑音比（ＳＮＲ）情報、又は、前記第１のバーストの雑音エネルギ情報を備える、請求項１に記載のコンピュータプログラムプロダクト。
【請求項３】
前記第１及び第２の変調フォーマット推定に関連する情報を用いて、前記ブロックの第３のバーストの第３の変調フォーマット推定を判断し、
前記第１、第２及び第３の変調フォーマット推定に関連する情報を用いて、前記ブロックの第４のバーストの第４の変調フォーマット推定を判断する、
ための命令セットをさらに備える、請求項１に記載のコンピュータプログラムプロダクト。
【請求項４】
前記信号のバーストは、第１又は第２のフォーマットのいずれかで変調され、
前記第２の変調フォーマット推定を判断する命令セットは、
前記第１のフォーマットで、及び前記第２のフォーマットで変調された前記第１のバーストのＳＮＲの差を備える第１のデルタ信号対雑音比（ＳＮＲ）を判断する命令セットと、
前記第１のフォーマットで、及び前記第２のフォーマットで変調された前記第２のバーストのＳＮＲの差を備える第２のデルタＳＮＲを判断する命令セットと、
前記第１及び第２のデルタＳＮＲの差が、所定の信頼性のある基準よりも大きいことを判断する命令セットと、
前記第２の変調フォーマット推定が、前記第１の変調フォーマット推定に等しくないことを判断する命令セットと、
前記第１の変調フォーマット推定に等しくなるように、前記第２の変調フォーマット推定を再設定する命令セットと、
を備える、請求項１に記載のコンピュータプログラムプロダクト。
【請求項５】
前記所定の信頼性のある基準の範囲が、０〜４デシベルの値である、請求項４に記載のコンピュータプログラムプロダクト。
【請求項６】
前記信号のバーストは、第１又は第２のフォーマットのいずれかで変調され、
前記第２の変調フォーマット推定を判断する命令セットは、
前記第１のフォーマットで、及び前記第２のフォーマットで変調された前記第１のバーストのＮＥの差を備える第１のデルタ雑音エネルギ（ＮＥ）を判断する命令セットと、
前記第１のフォーマットで、及び前記第２のフォーマットで変調された前記第２のバーストのＮＥの差を備える第２のデルタＮＥを判断する命令セットと、
前記第１及び第２のデルタＮＥの差が、所定の信頼性のある基準よりも大きいことを判断する命令セットと、
前記第２の変調フォーマット推定が、前記第１の変調フォーマット推定に等しくないことを判断する命令セットと、
前記第１の変調フォーマット推定に等しくなるように、前記第２の変調フォーマット推定を再設定する命令セットと、
を備える、請求項１に記載のコンピュータプログラムプロダクト。
【請求項７】
前記所定の信頼性のある基準の範囲が、０〜４ワットの値である、請求項６に記載のコンピュータプログラムプロダクト。
【請求項８】
前記信号は、ＥＤＧＥ（Ｅｎｈａｎｃｅｄ  Ｄａｔａ  Ｒａｔｅｓ  ｆｏｒ  Ｇｌｏｂａｌ  Ｅｖｏｌｕｔｉｏｎ）テクノロジーを実施する携帯電話システムにおいて送受信され、
前記信号は、ＧＭＳＫ（Ｇａｕｓｓｉａｎ  Ｍｉｎｉｍｕｍ  Ｓｈｉｆｔ  Ｋｅｙｉｎｇ）又は８ＰＳＫ（８  Ｐｈａｓｅ  Ｓｈｉｆｔ  Ｋｅｙｉｎｇ）フォーマットのいずれかで変調される、請求項１に記載のコンピュータプログラムプロダクト。
【請求項９】
前記命令セットは、前記信号を受信する携帯端末上で実行される、請求項１に記載のコンピュータプログラムプロダクト。
【請求項１０】
少なくとも２つの可能性のある変調フォーマットのうちの一方で変調される信号の変調フォーマットを推定するために構成された装置であって、前記信号は複数のブロックを備え、各ブロックは複数のバーストを備え、前記装置は、
ブロックの第１のバーストの第１の変調フォーマット推定を判断する手段と、
前記第１の変調フォーマット推定に関連する情報を用いて、前記ブロックの第２のバーストの第２の変調フォーマット推定を判断する手段と、
を備える、装置。
【請求項１１】
前記第１の変調フォーマット推定に関連する情報は、前記第１の変調フォーマット推定の結果、前記第１のバーストの信号対雑音比（ＳＮＲ）情報、又は、前記第１のバーストの雑音エネルギ情報を備える、請求項１０に記載の装置。
【請求項１２】
前記第１及び第２の変調フォーマット推定に関連する情報を用いて、前記ブロックの第３のバーストの第３の変調フォーマット推定を判断する手段と、
前記第１、第２及び第３の変調フォーマット推定に関連する情報を用いて、前記ブロックの第４のバーストの第４の変調フォーマット推定を判断する手段と、
をさらに備える、請求項１０に記載の装置。
【請求項１３】
前記信号は、ＥＤＧＥテクノロジーを実施する携帯電話システムにおいて送受信され、
前記信号は、ＧＭＳＫ又は８ＰＳＫフォーマットのいずれかで変調される、請求項１０に記載の装置。
【請求項１４】
前記装置は、前記信号を受信する携帯端末を備える、請求項１０に記載の装置。
【請求項１５】
少なくとも２つの可能性のある変調フォーマットのうちの一方で変調される信号を受信するために構成された受信デバイスであって、受信された信号は、複数のブロックを備え、各ブロックは複数のバーストを備える、前記受信デバイスと、
前記受信デバイスに結合された検出デバイスであって、
ブロックの第１のバーストの第１の変調フォーマット推定を判断し、
前記第１の変調フォーマット推定に関連する情報を用いて、前記ブロックの第２のバーストの第２の変調フォーマット推定を判断するために構成された前記検出デバイスと、
を備える、携帯端末。
【請求項１６】
前記第１の変調フォーマット推定に関連する情報は、前記第１の変調フォーマット推定の結果、前記第１のバーストの信号対雑音比（ＳＮＲ）情報、又は、前記第１のバーストの雑音エネルギ情報を備える、請求項１５に記載の携帯端末。
【請求項１７】
前記検出デバイスがさらに、
前記第１及び第２の変調フォーマット推定に関連する情報を用いて、前記ブロックの第３のバーストの第３の変調フォーマット推定を判断し、
前記第１、第２及び第３の変調フォーマット推定に関連する情報を用いて、前記ブロックの第４のバーストの第４の変調フォーマット推定を判断するために構成されている、請求項１５に記載の携帯端末。
【請求項１８】
前記検出デバイスは、
プロセッサと、
前記プロセッサに結合され、前記プロセッサに、前記第１及び第２の変調フォーマット推定を判断させる命令を格納する記憶装置と、
を備える、請求項１５に記載の携帯端末。
【請求項１９】
前記検出デバイスは、前記第１及び第２の変調フォーマット推定を判断するようにプログラムが組み込まれているデバイスを備える、請求項１５に記載の携帯端末。
【請求項２０】
前記携帯端末は、基地局から前記信号を受信し、
前記携帯端末及び基地局は、ＧＭＳＫ又は８ＰＳＫフォーマットのいずれかで変調された信号を送受信するＥＤＧＥテクノロジーを実施する携帯電話システムにおけるコンポーネントである、請求項１５に記載の携帯端末。
【発明の詳細な説明】
【技術分野】
【０００１】
本発明は、一般に、携帯電話技術に関し、より具体的には、信号の変調フォーマットタイプの検出に関する。
【背景技術】
【０００２】
現在のところ、ディジタル携帯電話技術のためのポピュラーな規格は、第２世代（ｓｅｃｏｎｄ  ｇｅｎｅｒａｔｉｏｎ；２Ｇ）の携帯電話システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）である。幅広い支持を得ているＧＳＭ通信システムに対する追加的強化は、ＥＤＧＥ（Ｅｎｈａｎｃｅｄ  Ｄａｔａ  Ｒａｔｅｓ  ｆｏｒ  Ｇｌｏｂａｌ  Ｅｖｏｌｕｔｉｏｎ）である。ＥＤＧＥ技術は、データスループットを３８４Ｋｂｐｓまで高め、第３世代（ｔｈｉｒｄ  ｇｅｎｅｒａｔｉｏｎ；３Ｇ）ネットワークのための国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）の規格を満たす。３Ｇ電話技術に関連するサービスは、音声データ（電話の発呼）及び非音声データ（例えば、電子メール、インスタントメッセージ等）の両方を転送する能力を含む。
【０００３】
ＥＤＧＥ技術は、ＧＭＳＫ（Ｇａｕｓｓｉａｎ  Ｍｉｎｉｍｕｍ  Ｓｈｉｆｔ  Ｋｅｙｉｎｇ）変調フォーマット及び８ＰＳＫ（Ｐｈａｓｅ  Ｓｈｉｆｔ  Ｋｅｙｉｎｇ）変調フォーマットの両方で信号を送受信する。当技術分野において周知であるように、ＧＭＳＫは、情報信号が、２つの可能性のある異なる位相シフトを含むことができる位相偏移変調を用いたディジタル変調技術である。また、当技術分野において周知のように、８ＰＳＫは、情報信号が、８つの可能性のある異なる位相シフトを含む位相偏移変調を用いたディジタル変調技術である。ＧＭＳＫ技術は、位相変化のたびに１ビットワード／シンボルを生成し、一方、８ＰＳＫは、（参照波の位相と比較して）位相変化のたびに３ビットワード／シンボルを生成する。
【０００４】
ＥＤＧＥ技術を用いたセルラー携帯電話システムにおいては、ＥＤＧＥコンパチブルのハードウェア及びソフトウェアは、ＥＤＧＥ偏移変調スキームを用いて信号を変調及び復調するために、基地局に（例えば、トランシーバユニット内に）、及び携帯端末（例えば、セルラー電話）に含まれている。信号は、典型的には、変調されて、データブロック（データを送信するための基本単位）として送信され、この場合、データブロックは、データからなる４つのバーストで構成されている。データブロックの４つ全てのバーストは、典型的には、信号の各データブロックが１つの均一な変調フォーマットタイプを有するように、同じフォーマットタイプ（ＧＭＳＫ又は８ＰＳＫのいずれか）で変調される。
【０００５】
ＥＤＧＥコンパチブルの基地局は、ＧＭＳＫ信号及び８ＰＳＫ信号の両方を送信するため、携帯端末は、信号を正しく復調するために、受信信号の変調フォーマット（ＧＭＳＫ又は８ＰＳＫ）を検出することができなければならない。従来、変調フォーマットタイプの検出は、受信信号のデータブロックの各バーストを単独に調べて、当該バーストの変調タイプを判断することによって実行される。バーストの変調タイプが判断された後、該バーストは、判断された変調フォーマットのバーストとして処理され、そのようなものとして処理（すなわち、復調）される。そして、次の判断が、次のデータブロックのバーストに対して独立して行われ、それに応じて処理される。従って、従来、バーストの変調タイプは、同じデータブロックの他のバーストから単独に／別々に判断された後、その判断に基づいて、独立して処理される。
【０００６】
しかし、受信信号のバーストの変調フォーマットタイプを判断する従来の方法は、特に、低い信号強度レベルにおいて（すなわち、該受信信号が低信号対雑音比を有する場合において）かなりの量の誤検出（すなわち、変調フォーマットタイプの間違った判断）を引き起こす。従って、特に、誤検出の可能性がかなり高い場合の低信号強度レベルにおける、受信信号の変調フォーマットタイプを検出するより正確な方法に対する要求がある。
【発明の開示】
【発明の概略】
【０００７】
本明細書に開示した実施形態は、受信信号の変調フォーマットタイプを検出するより正確なバイアスアルゴリズム及び装置を提供することによって、上述した要求に対応する。いくつかの態様において、該バイアスアルゴリズム及び装置は、ＧＭＳＫ変調信号及び８ＰＳＫ変調信号の両方を送受信するＥＤＧＥ技術を実施する携帯電話システムに用いられる。いくつかの態様において、該バイアスアルゴリズム及び装置は、同じデータブロックの現在のバーストの変調検出に影響を与えるため、及び変調検出にバイアスをかけるために、データブロックの１つ以上の前回のバーストの変調検出の間に収集された情報及び／又は判断された結果を用いることにより、受信信号のデータブロックのバーストの変調フォーマット（ＧＭＳＫ又は８ＰＳＫ）を検出／推定する。いくつかの態様において、前回のバーストの変調検出中に収集された情報は、信号対雑音比（ＳＮＲ）又は前回のバーストの雑音エネルギ情報を備える。
【０００８】
従って、データブロックのバーストに関する変調検出情報及び／又は結果は、同じデータブロックの１つ以上の後のバーストの変調検出精度にバイアスをかけて改善するのに用いられる。いくつかの態様において、該バイアスアルゴリズム及び装置は、独立した方法で、データブロックのいくつかのバーストの変調フォーマットタイプを判断しない（すなわち、データブロックのいくつかのバーストの変調フォーマットは、同じデータブロック内の他のバーストの検出を考慮することなく判断されず、むしろ、該他のバーストのうちの１つ以上の検出によってバイアスがかけられる）。
【０００９】
いくつかの態様において、上記バイアスアルゴリズムは、該アルゴリズムを実施するうに構成されたソフトウェア及び／又はハードウェアによって実施される。いくつかの態様において、そのように構成されたソフトウェア及び／又はハードウェアは、少なくとも２つの異なる変調フォーマットタイプ（例えば、ＧＭＳＫ及び８ＰＳＫ）で、変調された無線信号を受信することが可能な携帯端末（例えば、セルラー電話）に組み込まれる。
【００１０】
テストの結果、（特に、低信号強度レベルにおいて）従来の検出方法に優るバイアス検出アルゴリズムの変調検出精度に改善がみられることが分かった。
【発明を実施するための最良の形態】
【００１１】
以下の説明においては、説明目的のために、多くの詳細が記載されている。しかし、当業者は、本発明を、それらの具体的な詳細を用いることなく実施できることを十分に理解するであろう。他の事例においては、不必要な詳細によって、本発明の説明を分かりにくくしないために、周知の構造及びデバイスが、ブロック図のかたちで図示されている。“例示的な”という言葉は、本明細書において、“実施例、事例又は説明の役に立つ”ことを意味するのに用いられている。“例示的”として本明細書に記載されたどの実施形態も、他の実施形態に優る好適又は有利なものとして解釈する必要はない。
【００１２】
以下の説明は、４つのセクションに分けられている。セクションＩでは、移動体通信に関する基本用語及びコンセプトについて議論する。セクションＩＩでは、変調検出の従来の方法の統計的及びテスト結果、及びそれらの統計的及びテスト結果から引き出すことができる結論について議論する。セクションＩＩＩでは、受信信号のバーストの変調タイプをより正確に検出する、改善されたバイアス方法について議論する。セクションＩＶでは、受信信号のバーストの変調タイプを検出する際のバイアス方法の改善されたテスト結果について議論する。
【００１３】
（セクションＩ：用語及びコンセプト）
図１は、移動体通信システム１００の図である。移動体通信システム１００は、１つ以上の基地局サブシステム１１０と、ネットワーク及び交換サブシステム１３０と、１つ以上の携帯端末１５０と、公衆交換電話網１６０とを備える。基地局サブシステム１１０は、ネットワーク及び交換サブシステム１３０及び公衆交換電話網１６０とつながっており、電波を介したワイヤレス伝送（無線伝送）のかたちで携帯端末１５０と通信する。
【００１４】
各基地局サブシステム１１０は、典型的には、基地局制御装置１１５と、１つ以上の無線基地局装置１２０とで構成されている。無線基地局装置１２０は、無線信号を携帯端末１５０へ送信し、及び該携帯端末から無線信号を受信するのに用いられ、そのように行う機器（例えば、無線タワー等）を含む。基地局制御装置１１５は、ネットワーク及び交換サブシステム１３０の移動交換局１４５へ信号接続を伝えるのに用いられる。
【００１５】
ネットワーク及び交換サブシステム１３０は、典型的には、複数のホーム及びビジターデータベース１３５と、複数の認証センタ１４０と、複数の移動交換局１４５とで構成されている。ホーム及びビジターロケーションデータベース１３５は、加入者情報、携帯端末１５０のためのロケーション情報及び他の情報の記録を格納するのに用いられる。認証センタ１４０は、セキュリティ目的のための認証を実行するために、ホーム及びビジターロケーションデータベース１３５と共に用いられる。移動交換局１４５は、公衆交換電話網１６０及び基地局制御装置１１５のために信号接続を交換するのに用いられる。
【００１６】
認可されたネットワークの加入者は、受信デバイス（例えば、セルラー電話、ＰＤＡ（ｐｅｒｓｏｎａｌ  ｄｉｇｉｔａｌ  ａｓｓｉｓｔａｎｔ）、ラップトップコンピュータ、Ｂｌａｃｋｂｅｒｒｙ（登録商標）、ＰＤＡ又は他のポータブルコンピュータ等）を備える携帯端末１５０の利用によって、該ネットワークの外部の他の加入者と、又は非加入者（公衆交換電話網１６０内のユーザ等）と通信することができる。
【００１７】
いくつかの実施形態において、移動体通信システム１００は、ＥＤＧＥ技術を利用して、ＧＭＳＫ及び８ＰＳＫの両変調信号を送受信する。これらの実施形態においては、移動体通信システム１００の様々なコンポーネント（例えば、基地局制御装置１１５、無線基地局１２０、携帯端末１５０等）内に実装されたハードウェア又はソフトウェアは、ＧＭＳＫ信号及び８ＰＳＫ信号の両方を送受信するように構成されている。
【００１８】
図２は、信号を変調／符号化し、及び復調／復号する移動体通信システムに用いられる様々な構成要素を概念的に説明する図である。以下で説明するこの様々な構成要素の機能は、ＧＭＳＫ及び８ＰＳＫ変調フォーマットを用いて変調／符号化し、及び復調／復号するように構成されたハードウェア及び／又はソフトウェアを介して実施される。
【００１９】
図２の様々な構成要素は、信号を変調／符号化して送信するのに用いられる送信コンポーネント２０５と、信号を受信して復調／復号するのに用いられる受信コンポーネント２５０とを含む。いくつかの実施形態において、送信コンポーネント２０５は、基地局におけるトランシーバからなるコンポーネントである。いくつかの実施形態において、受信コンポーネント２５０は、携帯端末（例えば、セルラー電話）からなるコンポーネントである。移動体通信システムの様々なコンポーネントは、当技術分野において周知であるため、ここではこれ以上詳しく議論しない。
【００２０】
送信コンポーネント２０５は、ソースエンコーダ２１０と、チャネルエンコーダ２１５と、インタリーバ２２０と、ブロックディバイダ２２５と、変調器２３０と、トランスミッタ２３５とを備える。ソースエンコーダ２１０は、送信すべき元の情報を表す情報ビットストリーム２０２を受取る。そのような元の情報の実施例は、音声、ミュージック又は他のオーディオストリーム、ビデオストリーム、電子メールデータ、ビデオ又はオーディオストリーミング又は他のリアルタイムデータ、（例えば、ファイル転送プロトコル（ｆｉｌｅ  ｔｒａｎｓｆｅｒ  ｐｒｏｔｏｃｏｌ；ＦＴＰ）の下での）ファイルダウンロード動作等を含む。上記リストは網羅的ではないが、他の種類の元の情報を、情報ビットストリーム２０２によって表すこともできる。
【００２１】
ソースエンコーダ２１０は、情報ビットストリームを圧縮し、一方、チャネルエンコーダ２１５（例えば、畳み込み符号器）は、冗長ビットを該ビットストリームに導入して、受信側において、誤り検出及び誤り訂正を実行できるようにするのに用いられる。インタリーバ２２０は、ビットの位置を入れ替えて、（フェージング環境における）深いフェードの影響を軽減することにより、情報ビットストリームのビットをインタリーブする。８ＰＳＫ変調フォーマットをサポートする変調符号化方式（ｍｏｄｕｌａｔｉｏｎ  ｃｏｄｉｎｇ  ｓｃｈｅｍｅ；ＭＣＳ）は、ＧＭＳＫ変調フォーマットをサポートする変調符号化方式とは異なるチャネルエンコーダ２１５及びインタリーバ２２０を用いることに留意されたい。
【００２２】
該情報ビットストリームは、複数のデータブロックを備え、データブロックは、該情報ビットストリームの基本処理単位である。ブロックディバイダ２２５は、該情報ビットストリームの各データブロックを、データからなる４つのバーストに分割し、変調器２３０は、該情報ビットストリームの各バーストをＧＭＳＫ又は８ＰＳＫでフォーマット済みのバーストとして変調／符号化することにより、該情報ビットストリームを変調／符号化する。一般に、変調フォーマットは、ビットを表し／符号化するのに用いられる特定数の可能性のあるシンボルを有する。シンボルは、特定の変調フォーマットの下で許される可能性のある状態（例えば、位相シフト）である。ＧＭＳＫフォーマットの下では、２つのみの可能性のあるシンボル／状態が、各状態が単一ビットを表すデータを表すのに用いられる。一方、８ＰＳＫフォーマットの下では、８つの可能性のあるシンボル／状態が、それによって各状態が、データの３つのビットを表すデータを表すのに用いられる。従って、ＧＭＳＫフォーマットの下では、シンボルは、該情報ビットストリームの１ビットを表し、８ＰＳＫフォーマットの下では、シンボルは、該情報ビットストリームの３つのビットを表す。（送信すべき元の情報を表す）情報シンボルに加えて、ＧＭＳＫ又は８ＰＳＫフォーマット済みのバーストは、（図３に関連して以下で議論する）バーストの変調フォーマットを検出するのに用いられるトレーニング系列（ｔｒａｉｎｉｎｇ  ｓｅｑｕｅｎｃｅ；ＴＳＣ）シンボルも含む。
【００２３】
該情報ビットストリームを変調するのに加えて、変調器２３０は、該情報ビットストリームをキャリア信号にも与えて、送信のための変調信号を生成する。また、変調器２３０は、符号間干渉（ｉｎｔｅｒｓｙｍｂｏｌ  ｉｎｔｅｒｆｅｒｅｎｃｅ；ＩＳＩ）成分を除去するためのガウシアンフィルタリング（Ｇａｕｓｓｉａｎ  ｆｉｌｔｅｒｉｎｇ）等の追加的な処理ステップも行う。そして、該変調信号は、特定の伝送技術（例えば、時分割多重接続）を用いて、トランスミッタ２３５により、チャネルで送信される。
【００２４】
受信コンポーネント２５０は、レシーバ２５２と、復調フィルタ２５５と、変調検出器２６０と、イコライザ２６５と、ブロックコンバイナ２７０と、デインタリーバ２７５と、チャネルデコーダ２８０と、巡回冗長検査器（ｃｙｃｌｉｃ  ｒｅｄｕｎｄａｎｃｙ  ｃｈｅｃｋｅｒ；ＣＲＣ）２８２と、ソースデコーダ２８５とを備える。レシーバ２５２は、変調信号を受信し、復調フィルタ２５５は、該キャリア信号を除去して、ベースバンド周波数で“軟判定”信号／出力を生成する。公知のように、“軟判定”信号／出力は、０又は１の値のみを有するビットストリームではないが、１．３、２．５等の中間値を含む。
【００２５】
変調検出器２６０は、復調フィルタ２５５から受取った信号のバーストの変調フォーマットを（ＧＭＳＫ又は８ＰＳＫバーストとして）推定する。いくつかの実施形態において、変調検出器２６０は、改善されたバイアス検出方法を実行するように構成されたハードウェア及び／又はソフトウェアによって実施される。ＧＭＳＫ又は８ＰＳＫバーストであるとしたバーストの推定後に、該バーストは、それ自体が、残りの受信コンポーネント２５０によって処理される。
【００２６】
次いで、イコライザ２６５は、変調検出器２６０から受取ったバーストからＩＳＩを除去し、ブロックコンバイナ２７０が、該バーストをデータブロック（ブロックごとに４つのバースト）に戻す。次に、デインタリーバ２７５は、インタリーバ２２０の逆の動作を実行し、ビットを元の位置に再配列する。その後、チャネルデコーダ２８０（例えば、ビタビデコーダ）は、チャネルエンコーダ２１５によって導入された冗長ビットを用いて、誤り検出及び誤り訂正を実行する。ＣＲＣ２８２は、バーストに対するチャネルデコーダ２８０の誤り訂正が、バーストのビットが正しく受信されるのに十分であるか否かを判断する。バーストが、ＣＲＣ２８２の判断を通れば、該バーストはソースデコーダ２８５へ流れ、そうでない場合には、該バーストは破棄される。そして、ソースデコーダ２８５は、チャネルデコーダ２８０から受取った信号を復元して、送信されるように指定された元の情報（例えば、オーディオ又はビデオストリーム、電子メールデータ等）を表す情報信号２９０を（“軟判定”形式で）検索する。
【００２７】
変調検出器２６０によるＧＭＳＫ又は８ＰＳＫバーストであるとしたバーストの推定後、該バーストは、それ自体が、該推定により異なって該バーストを処理する残りの受信コンポーネント２５０によって処理される。例えば、イコライザ２６５、デインタリーバ２７５及びチャネルデコーダ２８０は、異なるデバイスを備えることになり、又は、ＧＭＳＫ又は８ＰＳＫバーストであるとしたバーストの推定により異なって該バーストを処理することになる。上述したように、８ＰＳＫ変調フォーマットをサポートするＭＣＳは、ＧＭＳＫ変調フォーマットをサポートする変調符号化方式とは異なるチャネルエンコーダ２１５及びインタリーバ２２０を用いる。従って、デインタリーバ２７５及びチャネルデコーダ２８０は、該バーストの変調推定に基づいて、異なるデバイスを備えることになる。バーストが正しく検出されず、間違った変調フォーマットの下で処理された場合、該バーストが、ＣＲＣ２８２から通過判断を受取ることは可能性が低く、破棄される可能性が高いであろう。
【００２８】
上述したように、信号は、典型的には、変調されて、データブロック（データを送信するための基本単位）で送信され、この場合、１つのデータブロックは、データからなる４つのバーストで構成される。図３は、データブロック３０５を備える信号の概念的説明を示し、各ブロック３０５は、データからなる４つのバースト３１０を備える。概念的には、バースト３１０は、特定の種類のシンボルを特定の順番で含む構造を有する。バースト３１０の構造は、典型的には、該構造の第１の端部に、ガードシンボル３１５からなる第１のセットを、その後に、情報シンボル３２０からなる第１のセットを、該構造の中心に、トレーニング系列（ＴＳＣ）シンボル３２５を、その後に、情報シンボル３２０からなる第２のセットを、該構造の第２の端部に、ガードシンボル３１５からなる第２のセットを含む。該情報シンボルからなる第１及び第２のセットは、送信されるように指定された元の情報（例えば、オーディオ又はビデオストリーム、電子メールデータ等）を表す。
【００２９】
ＴＳＣシンボル３２５は、典型的には、チャネル、周波数エラー、タイミング及び変調フォーマットタイプを推定するのに用いられるシンボルを備える。いくつかの実施形態において、バーストのＴＳＣシンボルは、該バーストの変調フォーマットタイプを判断するのに用いられる。これらの実施形態においては、バーストのＴＳＣシンボルは、８ＰＳＫバーストとして処理される、及びＧＭＳＫバーストとして処理されるバーストの信号対雑音比（ＳＮＲ）の推定を判断するのに用いられる。その結果、該バーストの変調フォーマットタイプは、８ＰＳＫ及びＧＭＳＫバーストのＳＮＲ推定の比較に基づいて推定される。他の実施形態においては、該バーストのＳＮＲ推定ではなく、雑音エネルギ推定は、該バーストの変調フォーマットタイプを検出するのに用いられる。これらの実施形態については、図８及び図９に関連して、以下で議論する。
【００３０】
（セクションＩＩ：従来の検出方法の場合のテスト結果）
図４は、５０ｋｍ／時のチャネル状態を有する典型的な都市（Ｔｙｐｉｃａｌ  Ｕｒｂａｎ；ＴＵ５０）において、ＧＭＳＫ変調信号を検出する際の従来の変調検出方法の統計的テスト結果を説明するグラフを示す。
【００３１】
上述したように、該従来の変調検出は、８ＰＳＫ及びＧＭＳＫバーストとして処理された該バーストのＳＮＲ推定を比較することにより、同じデータブロックの他のバーストから別々にかつ単独に、１つのバーストの変調タイプを判断する。８ＰＳＫバーストとして処理されたバーストのＳＮＲ推定は、本明細書において、“ＳＮＲ＿８ＰＳＫ”と呼ぶ場合もあり、また、ＧＭＳＫとして処理されたバーストのＳＮＲ推定は、本明細書において、“ＳＮＲ＿ＧＭＳＫ”と呼ぶ場合もある。これらのＳＮＲ推定間の差の絶対値は、本明細書において、“デルタＳＮＲ”と呼ぶ場合もあり、次の式、すなわち、デルタＳＮＲ＝絶対値（ＳＮＲ＿８ＰＳＫ−ＳＮＲ＿ＧＭＳＫ）で表すことができる。
【００３２】
上のグラフ４０５は、間違いのない検出事例の平均デルタＳＮＲ値（デシベル）を、該信号のＳＮＲの関数として示す第１の区分ライン４１０を含む。また、上のグラフ４０５は、間違った検出事例の平均デルタＳＮＲ値を、該信号のＳＮＲの関数として示す第２の区分ライン４１５も含む。下のグラフ４２０は、間違いのない検出事例のデルタＳＮＲの標準偏差を、該信号のＳＮＲの関数として示す第３の区分ライン４２５を含む。また、下のグラフ４２０は、誤検出事例の標準偏差デルタＳＮＲを、該信号のＳＮＲの関数として示す第４の区分ライン４３０も含む。
【００３３】
グラフ４０５及び４２０は、従来の変調検出方法を用いた場合、誤検出の場合の間のデルタＳＮＲの値は、典型的には、正しく検出された場合の間のデルタＳＮＲの値と比較して、かなり低いことを示している。これは、デルタＳＮＲが、８ＰＳＫバーストとして処理されたバーストのＳＮＲ値と、ＧＭＳＫバーストとして処理されたバーストのＳＮＲ値との差の絶対値に等しいことによるものである。これらのＳＮＲ値の間の差の絶対値が低い場合、これは、該バーストが、８ＰＳＫバーストであるか、ＧＭＳＫバーストであるか明らかではないことを示す。従って、これは、比較的低いデルタＳＮＲ値において、変調検出が低い確かさであり、低い信号強度レベルにおいて（この場合、デルタＳＮＲ値は低い）誤検出の可能性がより高いことを示す。
【００３４】
図５は、ＴＵ５０チャネル状態において、ＧＭＳＫ変調信号を検出する際の従来の変調検出方法の別の統計的テスト結果を説明するグラフ５００を示す。グラフ５００は、ブロック内にバーストの誤検出がないデータブロックの数を、ＧＭＳＫ信号のＳＮＲの関数として示す第１の区分ライン５０５を含む。また、グラフ５００は、ブロック内にバーストの１つの誤検出を有するデータブロックの数を、ＧＭＳＫ信号のＳＮＲの関数として示す第２の区分ライン５１０も含む。第３、第４及び第５の区分ライン５１５、５２０及び５２５は、それぞれ、ブロック内に２つ、３つ及び４つのバーストの誤検出を有するデータブロックの数を、ＧＭＳＫ信号のＳＮＲの関数として示す。グラフ５００は、従来の変調検出方法を用いた場合、データブロック当たり２つ以上のバーストが誤検出を有する可能性が低いことを示している。
【００３５】
従って、従来の変調検出方法の統計的テスト結果は、低信号強度レベルにおいて（この場合、デルタＳＮＲの値は低い）誤検出の可能性が高いこと、及びデータブロック当たり２つ以上のバーストが誤検出を有する可能性が低いことを示している。
【００３６】
（セクションＩＩＩ：改善されたバイアス変調検出）
いくつかの実施形態において、（セクションＩＩで議論したような）従来の検出方法の誤検出の場合の統計的特徴は、改善されたバイアス変調検出方法を導き出すのに用いられる。いくつかの実施形態において、該バイアス方法は、同じデータブロックの現在のバーストの変調検出に影響を及ぼし、バイアスをかけるために、データブロックの１つ以上前のバーストの変調検出中に集められた情報及び／又は結果を用いる。いくつかの実施形態において、前のバーストの変調検出中の集められた情報は、該前のバーストのＳＮＲ又は雑音エネルギ情報を備える。従って、データブロックのバーストに関連する変調検出情報及び／又は結果は、同じデータブロックの１つ以上の後のバーストの変調検出精度にバイアスをかけ、及び該精度を向上させるのに用いられる。いくつかの実施形態において、該バイアス方法は、独立した方法で、データブロックのバーストの変調フォーマットを決めない。
【００３７】
図６Ａ及び図６Ｂは、バーストのＳＮＲ値を用いて、受信信号のバーストの変調フォーマットタイプを検出する改善されたバイアス方法６００のフローチャートである。いくつかの実施形態において、ソフトウェア及び／又はハードウェアは、方法６００を実施するように構成されている。いくつかの実施形態において、該構成されたソフトウェア及び／又はハードウェアは、少なくとも２つの異なる変調フォーマットタイプ（例えば、ＧＭＳＫ及び８ＰＳＫ）で変調無線信号を受信する（携帯端末等の）受信デバイスに組み込まれる。
【００３８】
方法６００は、（ステップ６０５において）（基地局から）割当てられたＴＳＣシンボルと、２つ以上の異なる変調フォーマットタイプのうちの１つで変調されている信号とを受信したときに始まる。以下で述べる実施形態においては、該受信信号は、ＧＭＳＫである第１の変調フォーマットタイプか、又は、８ＰＳＫである第２の変調フォーマットタイプのいずれかで変調される。他の実施形態においては、該受信信号は、異なるフォーマットタイプ及び／又は異なる数のフォーマットタイプで変調される。受信した変調信号は、複数のデータブロックを備え、各データブロックは、複数のバーストを備える。以下で述べる実施形態においては、データブロックは、データからなる４つのバーストを備える。他の実施形態においては、データブロックは、異なる数のバーストを有する。
【００３９】
変調信号及び割当てられたＴＳＣシンボルは、典型的には、複数の同時に変調された信号（電話の発呼）に必要なリソースを割当てる基地局から受信する。リソースを割当てる際、該基地局は、各変調信号に、典型的には、ＴＳＣシンボルの７つの可能性のある構成のうちの１つを割当てる。いくつかの実施形態において、該割当てられたＴＳＣシンボルは、（図８に関連して以下で議論するように）バーストの変調フォーマットタイプを決めるのを支援するために、バーストのＴＳＣシンボルと関連付けられている。
【００４０】
次に、方法６００は、（ステップ６１０において）受信信号のデータブロックを、処理すべき現在のデータブロックとして設定する。次いで、該方法は、（ステップ６１５において）ＧＭＳＫバーストとして処理された、及び８ＰＳＫバーストとして処理された第１のバーストのＳＮＲ推定を判断するＳＮＲ検出方法を用いて、現在のデータブロックの該第１のバーストの変調フォーマットタイプを（ＧＭＳＫバースト又は８ＰＳＫバーストであるとして）推定／検出する。このような１つのＳＮＲ検出方法は、図８に関連して以下で説明するが、他の実施形態においては、他のＳＮＲ検出方法が用いられる。次いで、該方法は、（ステップ６１７において）該推定に従って、該第１のバーストを処理する（すなわち、そのようにするように構成された適切なソフトウェア及び／又はハードウェアを用いて、該バーストをＧＭＳＫ又は８ＰＳＫバーストとして復号／復調する）。
【００４１】
次に、該方法は、（ステップ６２０において）該第１のバーストの（第１のデルタＳＮＲ又はΔＳＮＲ１と呼ばれる）ＳＮＲ推定の差を、ＧＭＳＫバースト及び８ＰＳＫバーストとして計算する。次いで、方法６００は、（ステップ６２５において）第２のバーストのＳＮＲ推定をＧＭＳＫバースト及び８ＰＳＫバーストとして判断するＳＮＲ検出方法を用いて、現在のデータブロックの第２のバーストの変調フォーマットタイプの推定／検出を（ＧＭＳＫバースト又は８ＰＳＫバーストとして）実行する。次いで、該方法は、（ステップ６３０において）該第２のバーストの（第２のデルタＳＮＲ又はΔＳＮＲ２と呼ばれる）ＳＮＲ推定の差を、ＧＭＳＫバースト及び８ＰＳＫバーストとして計算する。次いで、該方法は、該第１のバーストの変調検出からの収集した情報（ΔＳＮＲ１）及び推定結果を用いて、該第２のバーストの変調フォーマットタイプの推定にバイアスをかける。いくつかの実施形態において、該方法は、第１の所定の信頼のある基準（デシベル）も用いて、該第２のバーストの推定にバイアスをかける。
【００４２】
該第２のバーストの推定にバイアスをかけるために、方法６００は、（ステップ６３５において）該第２のバーストの変調フォーマットの推定が、該第１のバーストの推定と異なっているかを判断する。異なっていない場合、該方法は、ステップ６５５において、処理を続ける。しかし、変調フォーマット推定が異なっている場合には、該方法は、（ステップ６４０において）該第１のバースト及び第２のバーストの第１のデルタＳＮＲと第２のデルタＳＮＲの差が、該第１の所定の信頼のある基準より大きいかを判断する。大きい場合は、該方法は、（ステップ６５０において）（ステップ６１５において判断された）該第１のバーストの変調フォーマットの推定に等しくなるように、該第２のバーストの変調フォーマットの推定を再設定する。大きくない場合には、該方法は、ステップ６５５において処理を続け、この場合、該方法は、該推定に従って、該第２のバーストを処理する。
【００４３】
いくつかの実施形態において、方法６００のステップ６３５〜ステップ６５０は、次のアルゴリズムによって表される。
【００４４】
ｉｆ（（Ｍｏｄ＿ｔｙｐｅ２≠Ｍｏｄ＿ｔｙｐｅ１）＆（ａｂｓ（ΔＳＮＲ１）−ａｂｓ（ΔＳＮＲ２）＞λ１ｄｂ））
ｔｈｅｎ（Ｍｏｄ＿ｔｙｐｅ２＝Ｍｏｄ＿ｔｙｐｅ１）
ただし、Ｍｏｄ＿ｔｙｐｅ１は、第１のバーストの場合の変調フォーマット推定であり、
Ｍｏｄ＿ｔｙｐｅ２は、第２のバーストの場合の変調フォーマット推定であり、
ΔＳＮＲ１は、第１のバーストの場合の第１のデルタＳＮＲであり、
ΔＳＮＲ２は、第２のバーストの場合の第１のデルタＳＮＲであり、
λ１ｄｂは、第１の所定の信頼のある基準である。
【００４５】
次に、該方法は、データブロックの各後のバーストに対してバイアス推定を続ける。ステップ６５７において、該方法は、第３のバーストのＳＮＲ推定を、ＧＭＳＫバースト及び８ＰＳＫバーストとして判断するＳＮＲ検出方法を用いて、現在のデータブロックの該第３のバーストの変調フォーマットの推定を（ＧＭＳＫバースト又は８ＰＳＫバーストとして）実行する。次いで、該方法は、（ステップ６６０において）第３のバーストの（第３のデルタＳＮＲ又はΔＳＮＲ３と呼ばれる）ＳＮＲ推定の差を、ＧＭＳＫバースト及び８ＰＳＫバーストとして計算する。次いで、該方法は、該第１及び第２のバーストの変調検出からの収集した情報（ΔＳＮＲ１及びΔＳＮＲ２）及び推定結果を用いて、該第３のバーストの変調フォーマットの推定にバイアスをかける。いくつかの実施形態において、該方法は、第２の所定の信頼のある基準（デシベル）を用いて、該第３のバーストの推定にバイアスをかける。
【００４６】
該第３のバーストの推定にバイアスをかけるために、方法６００は、（ステップ６６５において）該第３のバーストの推定が、該第１のバーストの場合の推定と異なり、かつ該第２のバーストの場合の推定とも異なっているかを判断する。異なっていない場合、該方法は、ステップ６８０において処理を続ける。しかし、この条件が真である場合には、該方法は、（ステップ６７０において）（ΔＳＮＲ１及びΔＳＮＲ２）の平均と、ΔＳＮＲ３との差が、該第２の所定の信頼のある基準より大きいか否かを判断する。大きい場合には、該方法は、（ステップ６７５において）（ステップ６１５において判断された）該第１のバーストの変調フォーマットの推定に等しくなるように、該第３のバーストの推定を再設定する。大きくない場合には、該方法は、ステップ６８０において処理を続け、この場合、該方法は、該推定に従って、該第３のバーストを処理する。
【００４７】
いくつかの実施形態において、方法６００のステップ６６５〜ステップ６７５は、次のアルゴリズムによって表される。
【００４８】
ｉｆ（（Ｍｏｄ＿ｔｙｐｅ３≠Ｍｏｄ＿ｔｙｐｅ２）＆（Ｍｏｄ＿ｔｙｐｅ３≠Ｍｏｄ＿ｔｙｐｅ１）＆（ａｂｓ（Ｍｅａｎ（ΔＳＮＲ１，ΔＳＮＲ２））−ａｂｓ（ΔＳＮＲ３）＞λ２ｄｂ））
ｔｈｅｎ（Ｍｏｄ＿ｔｙｐｅ３＝Ｍｏｄ＿ｔｙｐｅ１）
ただし、Ｍｏｄ＿ｔｙｐｅ３は、第３のバーストの場合の変調フォーマット推定であり、
ΔＳＮＲ３は、第３のバーストの場合の第１のデルタＳＮＲであり、
λ２ｄｂは、第２の所定の信頼のある基準である。
【００４９】
ステップ６８１において、該方法は、ＳＮＲ検出方法又はＳＮＲに基づかない当技術分野において公知の他の検出方法を用いて、現在のデータブロックの第４のバーストの変調フォーマットの推定を（ＧＭＳＫバースト又は８ＰＳＫバーストであるとして）実行する。次いで、該方法は、該第１、第２及び第３のバーストの推定結果を用いて、該第４のバーストの変調フォーマットの推定にバイアスをかける。いくつかの実施形態において、該第１、第２及び第３のバーストの全ての推定が同じである（すなわち、全て、同じ変調フォーマットの推定である）場合には、該第４のバーストの推定は、（４つ全てのバーストが同じ変調推定を有するように）他のバーストと同じ推定に等しくなるように再設定される。
【００５０】
該第４のバーストの推定にバイアスをかけるために、方法６００は、（ステップ６８２において）該第４のバーストの推定が、該第１、第２及び第３のバーストの場合の推定と異なっているかを判断する。異なっている場合、該方法は、（ステップ６８５において）（ステップ６１５において判断された）該第１のバーストの変調フォーマットの推定と等しくなるように、該第４のバーストの推定を再設定する。異なっていない場合には、該方法は、ステップ６８８において、処理を続け、この場合、該方法は、該推定に従って、該第４のバーストを処理する。
【００５１】
いくつかの実施形態において、方法６００のステップ６８２〜ステップ６８５は、次のアルゴリズムによって表される。
【００５２】
ｉｆ（（Ｍｏｄ＿ｔｙｐｅ４≠Ｍｏｄ＿ｔｙｐｅ３）＆（Ｍｏｄ＿ｔｙｐｅ４≠Ｍｏｄ＿ｔｙｐｅ２）＆（Ｍｏｄ＿ｔｙｐｅ４≠Ｍｏｄ＿ｔｙｐｅ１））
ｔｈｅｎ（Ｍｏｄ＿ｔｙｐｅ４＝Ｍｏｄ＿ｔｙｐｅ１）
ただし、Ｍｏｄ＿ｔｙｐｅ４は、第４のバーストの場合の変調フォーマット推定である。
【００５３】
ステップ６９０において、該方法は、処理すべき受信信号内にまだデータブロックがあるか否かを判断する。ある場合には、該方法は、ステップ６１０において処理を続け、この場合、該受信信号内の次のデータブロックが、処理すべき現在のデータブロックとして設定される。ない場合には、該方法は終了する。
【００５４】
いくつかの実施形態において、上記所定の信頼のある基準（λ１及びλ２）は、方法６００に対して、最良の検出精度をもたらす信頼のある基準値を見つけ出す実験を介して決められる。いくつかの実施形態において、該所定の信頼のある基準（λ１及びλ２）は、値が等しい。他の実施形態においては、該所定の信頼のある基準（λ１及びλ２）は、値が等しくない。いくつかの実施形態において、該所定の信頼のある基準（λ１及びλ２）の範囲は、０〜４ｄｂの値である。
【００５５】
上述したように、低デルタＳＮＲを有するバーストの変調検出は、該バーストが、明らかに８ＰＳＫバースト又はＧＭＳＫバーストではないため、該検出の信頼性が低いことを示している。従って、前のバーストのデルタＳＮＲが、現在のバーストのデルタＳＮＲよりも著しく大きい場合には、これは、前のバーストの検出の信頼性が、現在のバーストの検出の信頼性よりも著しく大きいことを示しているため、方法６００は、（２つの検出がまだ等しくない場合）前のバーストの検出に等しくなるように、現在のバーストの検出にバイアスをかける。概念的には、該所定の信頼のある基準の値は、“著しく大きい”ものを判断し、方法６００のバイアスかけが効果を生じた場合に、しきい値レベルを設定する。該所定の信頼のある基準の値は低くなればなるほど、該検出方法６００のバイアス効果はより強くなる。
【００５６】
また、方法６００は、後のバーストの場合の推定が、１つ以上の前のバーストの場合の推定と異なり、これがそうである場合、後のバーストの推定にバイアスをかける可能性があるかを判断することに留意されたい。このことは、データブロック内に２つ以上の誤検出がある可能性が低いという（上述した）統計的観測を反映している。従って、方法６００は、セクションＩＶにおいて以下に議論するように、より正確な変調検出方法を提供するために、従来の検出方法の両統計的観測を利用する。
【００５７】
図７Ａ、図７Ｂは、バーストの雑音エネルギ値を用いて、受信信号のバーストの変調フォーマットタイプを検出する改善されたバイアス方法７００のフローチャートである。いくつかの実施形態において、ソフトウェア及び／又はハードウェアは、方法７００を実施するように構成されている。いくつかの実施形態において、該構成されたソフトウェア及び／又はハードウェアは、少なくとも２つの異なる変調フォーマットタイプ（例えば、ＧＭＳＫ及び８ＰＳＫ）で、変調された無線信号を受信する（携帯端末等の）受信デバイスに組み込まれる。
【００５８】
雑音エネルギバイアス方法７００は、図６のＳＮＲバイアス方法６００のステップと同様のステップを備え、ここでは詳細に論じない。しかし、方法７００は、ＳＮＲ値の代わりに、検出目的のために雑音エネルギ値を用い、それに伴って、バーストのＳＮＲレベルと、該バーストの雑音エネルギレベルとの逆相関（ＳＮＲ＝チャネルエネルギ／雑音エネルギ）を反映させるために、方法６００の特定のステップを変更する。８ＰＳＫバーストとして処理されたバーストの雑音エネルギ（ｎｏｉｓｅ  ｅｎｅｒｇｙ；ＮＥ）推定は、本明細書において“ＮＥ＿８ＰＳＫ”と呼ぶ場合もあり、また、ＧＭＳＫとして処理されたバーストのＮＥ推定は、本明細書において“ＮＥ＿ＧＭＳＫ”と呼ぶ場合もある。これらのＳＮＲ推定の間の差の値の絶対値は、本明細書において“デルタＮＥ”と呼ぶ場合もあり、次の式、すなわち、デルタＮＥ＝ａｂｓ（ＮＥ＿８ＰＳＫ−ＮＥ＿ＧＭＳＫ）によって表すことができる。
【００５９】
方法７００は、（ステップ７０５において）（基地局から）割当てられたＴＳＣシンボルと、２つ以上の異なる変調フォーマットタイプのうちの１つで変調されている信号とを受信したときに始まる。いくつかの実施形態において、該割当てられたＴＳＣシンボルは、（図９に関連して以下で論じるように）該バーストの変調フォーマットタイプを判断するのを支援するために、該バーストのＴＳＣシンボルと関連付けられている。
【００６０】
次に、方法７００は、（ステップ７１０において）受信信号のデータブロックを、処理すべき現在のデータブロックとして設定する。次いで、該方法は、（ステップ７１５において）ＧＭＳＫバーストとして処理され、及び８ＰＳＫバーストとして処理された第１のバーストの雑音エネルギ推定を判断する雑音エネルギ検出方法を用いて、現在のデータブロックの該第１のバーストの変調フォーマットタイプを（ＧＭＳＫバースト又は８ＰＳＫバーストであるとして）推定／検出する。このような１つの雑音エネルギ検出方法は、図９に関連して以下で説明するが、他の実施形態においては、他の雑音エネルギ検出方法が用いられる。そして、該方法は、（ステップ７１７において）該推定に従って、該第１のバーストを処理する。
【００６１】
次に、該方法は、（ステップ７２０において）該第１のバーストの（第１のデルタＮＥ又はΔＮＥ１と呼ばれる）雑音エネルギ推定の差を、ＧＭＳＫバースト及び８ＰＳＫバーストとして計算する。次いで、該方法７００は、（ステップ７２５において）第２のバーストの雑音エネルギ推定を判断する雑音エネルギ検出方法を用いて、現在のデータブロックの該第２のバーストの変調フォーマットタイプの初期推定／検出をＧＭＳＫバースト及び８ＰＳＫバーストであるとして実行する。次に、該方法は、（ステップ７３０において）第２のバーストの（第２のデルタＮＥ又はΔＮＥ２と呼ばれる）雑音エネルギ推定の差を、ＧＭＳＫバースト及び８ＰＳＫバーストとして計算する。次いで、該方法は、該第１のバーストの変調検出からの収集した情報（ΔＮＥ１）及び推定結果を用いて、該第２のバーストの変調フォーマットタイプの推定にバイアスをかける。いくつかの実施形態において、該方法は、第１の所定の信頼のある基準（ワット）を用いて、該第２のバーストの推定にバイアスをかける。
【００６２】
該第２のバーストの推定にバイアスをかけるために、方法７００はまず（ステップ７３５において）該第２のバーストの変調フォーマットの推定が、該第１のバーストの場合の推定と異なっているかを判断する。異なっていない場合、該方法は、ステップ７５５において、処理を続ける。しかし、該変調フォーマット推定が異なっている場合には、該方法は、（ステップ７４０において）（低デルタＮＥ値は、以下で論じるように、変調検出において、不十分な信頼性を与えるため）該第１及び第２のバーストの第１及び第２のデルタＮＥの間の差が、該第１の所定の信頼のある基準よりも大きいか否かを判断する。大きい場合には、該方法は、（ステップ７５０において）（ステップ７１５において判断された）該第１のバーストの変調フォーマットの推定に等しくなるように、該第２のバーストの変調フォーマットの推定を再設定する。大きくない場合には、該方法は、ステップ７５５において処理を続け、この場合、該方法は、該推定に従って該第２のバーストを処理する。
【００６３】
いくつかの実施形態において、方法７００のステップ７３５〜ステップ７５０は、次のアルゴリズムによって表される。
【００６４】
ｉｆ（（Ｍｏｄ＿ｔｙｐｅ２≠Ｍｏｄ＿ｔｙｐｅ１）＆（ａｂｓ（ΔＮＥ１）−ａｂｓ（ΔＮＥ２）＞λ１））
ｔｈｅｎ（Ｍｏｄ＿ｔｙｐｅ２＝Ｍｏｄ＿ｔｙｐｅ１）
ただし、Ｍｏｄ＿ｔｙｐｅ１は、第１のバーストの場合の変調フォーマット推定であり、
Ｍｏｄ＿ｔｙｐｅ２は、第２のバーストの場合の変調フォーマット推定であり、
ΔＮＥ１は、第１のバーストの場合の第１のデルタＮＥであり、
ΔＮＥ２は、第２のバーストの場合の第１のデルタＮＥであり、
λ１ワットは、第１の所定の信頼のある基準である。
【００６５】
ステップ７５７において、該方法は、ＧＭＳＫバースト及び８ＰＳＫバースト等の第３のバーストの雑音エネルギ推定を判断する雑音エネルギ検出方法を用いて、現在のデータブロックの該第３のバーストの変調フォーマットの初期推定を（ＧＭＳＫバースト又は８ＰＳＫバーストとして）実行する。次に、該方法は、（ステップ７６０において）該第３のバーストの（第３のデルタＮＥ又はΔＮＥ３とも呼ばれる）雑音エネルギ推定の差をＧＭＳＫ又は８ＰＳＫバーストとして計算する。次いで、該方法は、該第１及び第２のバーストの変調検出からの収集した情報（ΔＮＥ１及びΔＮＥ２）及び推定結果を用いて、該第３のバーストの変調フォーマットの推定にバイアスをかける。いくつかの実施形態において、該方法は、第２の所定の信頼のある基準を用いて該第３のバーストの推定にバイアスをかける。
【００６６】
該第３のバーストの推定にバイアスをかけるために、方法７００はまず（ステップ７６５において）該第３のバーストの推定が、該第１のバーストの場合の推定と、及び該第２のバーストの場合の推定とも異なっているかを判断する。異なっていない場合、該方法は、ステップ７８０において処理を続ける。しかし、この条件が真である場合には、該方法は、（ステップ７７０において）（ΔＮＥ１及びΔＮＥ２）の平均と、ΔＮＥ３との間の差が、第２の所定の信頼のある基準よりも大きいか否かを判断する。大きい場合には、該方法は、（ステップ７７５において）（ステップ７１５において判断された）第１のバーストの変調フォーマットの推定に等しくなるように、該第３のバーストの推定を再設定する。大きくない場合には、該方法は、ステップ７８０において処理を続け、この場合、該方法は、該推定に従って、該第３のバーストを処理する。
【００６７】
いくつかの実施形態において、方法７００のステップ７６５〜ステップ７７５は、次のアルゴリズムによって表される。
【００６８】
ｉｆ（（Ｍｏｄ＿ｔｙｐｅ３≠Ｍｏｄ＿ｔｙｐｅ２）＆（Ｍｏｄ＿ｔｙｐｅ３≠Ｍｏｄ＿ｔｙｐｅ１）＆（ａｂｓ（Ｍｅａｎ（ΔＮＥ１，ΔＮＥ２））−ａｂｓ（ΔＮＥ３）＞λ２））
ｔｈｅｎ（Ｍｏｄ＿ｔｙｐｅ３＝Ｍｏｄ＿ｔｙｐｅ１）
ただし、Ｍｏｄ＿ｔｙｐｅ３は、第３のバーストの場合の変調フォーマット推定であり、
ΔＮＥ３は、第３のバーストの場合の第１のデルタＮＥであり、
λ２ワットは、第２の所定の信頼のある基準である。
【００６９】
ステップ７８１において、該方法は、雑音エネルギ検出方法、又は雑音エネルギに基づかない当技術分野において公知の他の検出方法を用いて、現在のデータブロックの第４のバーストの変調フォーマットの初期推定を実行する。次いで、該方法は、該第１、第２及び第３のバーストの推定結果を用いて、該第４のバーストの変調フォーマットの推定にバイアスをかける。いくつかの実施形態において、該第１、第２及び第３のバーストの全ての推定が同じである（すなわち、全て同じ変調フォーマットの推定である）場合、該第４のバーストの推定は、（４つ全てのバーストが同じ変調推定を有するように）他のバーストの場合と同じ推定に等しくなるように再設定される。
【００７０】
該第４のバーストの推定にバイアスをかけるために、方法７００は、（ステップ７８２において）該第４のバーストの推定が、該第１、第２及び第３のバーストの場合の推定と異なっているかを判断する。異なっている場合、該方法は、（ステップ７８５において）（ステップ７１５において判断された）該第１のバーストの変調フォーマットの推定に等しくなるように、該第４のバーストの推定を再設定する。異なっていない場合には、該方法は、ステップ７８８において、処理を続け、この場合、該方法は、該推定に従って、該第４のバーストを処理する。
【００７１】
いくつかの実施形態において、方法７００のステップ７８２〜ステップ７８５は、次のアルゴリズムによって表される。
【００７２】
ｉｆ（（Ｍｏｄ＿ｔｙｐｅ４≠Ｍｏｄ＿ｔｙｐｅ３）＆（Ｍｏｄ＿ｔｙｐｅ４≠Ｍｏｄ＿ｔｙｐｅ２）＆（Ｍｏｄ＿ｔｙｐｅ４≠Ｍｏｄ＿ｔｙｐｅ１））
ｔｈｅｎ（Ｍｏｄ＿ｔｙｐｅ４＝Ｍｏｄ＿ｔｙｐｅ１）
ただし、Ｍｏｄ＿ｔｙｐｅ４は、第４のバーストの場合の変調フォーマット推定である。
【００７３】
ステップ７９０において、該方法は、処理すべき受信信号内にまだデータブロックがあるか否かを判断する。ある場合には、該方法は、ステップ７１０において処理を続け、この場合、該受信信号内に次のデータブロックが、処理すべき現在のデータブロックとして設定される。ない場合には、該方法は終了する。
【００７４】
いくつかの実施形態において、上記所定の信頼のある基準（λ１及びλ２）は、方法７００に対して最良の検出精度をもたらす信頼のある基準値を見つけ出す実験を介して決められる。いくつかの実施形態において、該所定の信頼のある基準（λ１及びλ２）は、値が等しい。他の実施形態においては、該所定の信頼のある基準（λ１及びλ２）は、値が等しくない。いくつかの実施形態において、該所定の信頼のある基準（λ１及びλ２）の範囲は、０〜４ワットの値である。
【００７５】
低デルタＮＥを有するバーストの変調検出は、該バーストが、明らかに８ＰＳＫバースト又はＧＭＳＫバーストではないことを示しているため、該検出の信頼性が低いことを示している。従って、前のバーストのデルタＮＥが、現在のバーストのデルタＮＥよりも著しく大きい場合には、これは、前のバーストの検出の信頼性が、現在のバーストの検出の信頼性よりも著しく大きいことを示しているため、方法７００は、（２つの検出がまだ等しくない場合）前のバーストの検出に等しくなるように、現在のバーストの検出にバイアスをかける。概念的には、該所定の信頼のある基準の値は、“著しく大きい”ものを判断し、方法７００のバイアスかけが効果を生じた場合に、しきい値レベルを設定する。該所定の信頼のある基準の値は低くなればなるほど、検出方法７００のバイアス効果はより強くなる。
【００７６】
図８は、データブロックのバーストの変調フォーマットタイプを判断／検出するＳＮＲベースの方法８００のフローチャートである。いくつかの実施形態において、方法８００は、（ステップ６０５において）変調信号及び割当てられたＴＳＣシンボルを受信する（図６に関連して説明した）方法６００のステップ６１５を備える。いくつかの実施形態において、方法８００は、方法６００のステップ６２５、６５７及び６８１も備える。
【００７７】
一般に、方法８００は、割当てられたＴＳＣシンボルと、受信信号のバーストのＴＳＣシンボルとを用いて、８ＰＳＫバーストとして処理され、及びＧＭＳＫバーストとして処理されたバーストのＳＮＲ推定を判断する。そして、該バーストの変調フォーマットタイプは、該バーストのＳＮＲ推定の比較に基づいて（８ＰＳＫ及びＧＭＳＫバーストとして）推定される。
【００７８】
該方法は、該バーストをＧＭＳＫバーストとして処理し、（ステップ８０５において）該バーストのＳＮＲをＧＭＳＫバースト（ＳＮＲ＿ＧＭＳＫ）として計算することによって始まる。該方法は、例えば、（ＧＭＳＫシンボルとして解釈された）該バーストのＴＳＣシンボルを、割当てられたＴＳＣシンボルと関連付ける（乗じる）ことによってそのようにし、ＴＳＣシンボル積を生成することができる。割当てられたＴＳＣシンボルは、該バーストのＴＳＣシンボルが、正しくＧＭＳＫシンボルとして解釈されていれば（すなわち、該バーストは、実際にＧＭＳＫバーストである）、生成されたＴＳＣシンボル積は、ＴＳＣシンボル積の左右端部に（ゼロに近い）より小さな値がある状態で、ＴＳＣシンボル積の中間に高い相関値（ピーク）を有することになるように構成される。一方、該バーストのＴＳＣシンボルが、間違ってＧＭＳＫシンボルとして解釈された場合（すなわち、該バーストは、実際には、ＧＭＳＫバーストではない）、生成されたＴＳＣシンボル積は、ＴＳＣシンボル積の中間に明らかな相関ピークを有しないことになる。
【００７９】
その結果、ＴＳＣシンボル積の中間における相関ピークは、該バーストのチャネルエネルギ（信号強度）及び雑音エネルギを判断するのに用いることができる。このことは、該相関ピークに基づいて、チャネルタップを推定することによって行われ、この場合、該チャネルタップの大きさの合計は、総チャネルエネルギを示す。
【数１】
2008535323.tif 000003
【００８０】
が推定されたチャネルタップ幅である場合（典型的には、４〜９のチャネルタップであり、各タップは、システムデザインのチャネルモデルにより、特定のシンボル持続時間によって分離されている）、チャネルエネルギは、
【数２】
2008535323.tif 000004
【００８１】
に等しい。
【００８２】
受信信号は、推定されたチャネルタップによって再構成され、割当てられたＴＳＣシンボル及び推定されたエラーエネルギ（すなわち、ＴＳＣ領域内の実際の受信信号と比較した該再構成された信号のエラーエネルギ）が判断される。その結果、該バーストの雑音エネルギは、この推定エラーの平均平方をとることによって、該ＴＳＣシンボルに関して推定することができる。従って、該バーストの雑音エネルギは、
【数３】
2008535323.tif 000005
【００８３】
に等しくなり、ただし、
ｘｉは、割当てられたＴＳＣシンボルであり、
ｙｉは、該バーストのＴＳＣシンボルであり、
Ｎは、（例えば、ＧＳＭ及びＥＤＧＥの場合の２６個のシンボルの長さである）ＴＳＣの長さであり、
Ｊは、チャネル推定におけるチャネルタップの数である。
【００８４】
この結果、（ＧＭＳＫバーストとして処理された）該バーストのＳＮＲは、次の方程式、すなわち、ＳＮＲ＝（チャネルエネルギ／雑音エネルギ）によって表されるように、チャネルエネルギ及び雑音エネルギから計算することができる。
【００８５】
次に、方法８００は、（ステップ８１０において）該バーストのＳＮＲを、８ＰＳＫバースト（ＳＮＲ＿８ＰＳＫ）として計算する。該方法は、該方法が、該バーストを８ＰＳＫバーストとして処理することを除いて、ステップ８０５に関連して上述したステップを繰り返すことにより、そのように行うことができる。次いで、該方法は、（ステップ８１５において）ＧＭＳＫバーストとして処理された該バーストのＳＮＲ推定が、８ＰＳＫバーストとして処理された該バーストのＳＮＲ推定よりも大きいか否かを判断する。大きい場合には、方法８００は、（ステップ８２０において）（ＧＭＳＫバーストとしての該バーストのより高いＳＮＲ値は、該バーストが、恐らくＧＭＳＫバーストであることを示しているため）該バーストがＧＭＳＫバーストとして変調されているかを判断／推定する。大きくない場合には、方法８００は、（ステップ８２５において）（８ＰＳＫバーストである該バーストのより高いＳＮＲ値は、該バーストが、恐らく８ＰＳＫバーストであることを示しているため）該バーストが８ＰＳＫバーストとして変調されているかを判断／推定する。その後、該方法は終了する。
【００８６】
図９は、データブロックのバーストの変調フォーマットタイプを判断／検出する雑音エネルギベースの方法９００のフローチャートである。いくつかの実施形態において、方法９００は、（ステップ７０５において）変調信号及び割当てられたＴＳＣシンボルを受信した（図７に関連して説明した）方法７００のステップ７１５を備える。いくつかの実施形態において、方法９００は、方法７００のステップ７２５、７５７及び７８１も備える。方法９００は、（バーストの雑音エネルギ値が、該バーストのＳＮＲ値の代わりに用いられることを除いて）図８の方法８００のステップと同様のステップを備え、ここでは、詳細に論じない。
【００８７】
該方法は、該バーストをＧＭＳＫバーストとして処理し、（ステップ９０５において）該バーストの雑音エネルギをＧＭＳＫバースト（ＮＥ＿ＧＭＳＫ）として計算することによって始まる。該方法は、例えば、（ＧＭＳＫシンボルとして解釈された）該バーストのＴＳＣシンボルを、割当てられたＴＳＣシンボルと関連付けて、ＴＳＣシンボル積を生成することによって、そのように行うことができる。その結果、ＴＳＣシンボル積の相関ピークは、（上述したように）該バーストの雑音エネルギを判断するのに用いられる。
【００８８】
次に、方法９００は、（ステップ９１０において）該バーストの雑音エネルギを、８ＰＳＫバースト（ＮＥ＿８ＰＳＫ）として計算する。該方法は、該方法が、該バーストを８ＰＳＫバーストとして処理することを除いて、ステップ９０５に関連して上述したステップを繰り返すことにより、そのように行うことができる。次いで、該方法は、（ステップ９１５において）ＧＭＳＫバーストとして処理された該バーストの雑音エネルギ推定が、８ＰＳＫバーストとして処理された該バーストの雑音エネルギ推定よりも低いか否かを判断する。低い場合には、方法９００は、（ステップ９２０において）（ＧＭＳＫバーストとしての該バーストのより低い雑音エネルギ値は、該バーストが、恐らくＧＭＳＫバーストであることを示しているため）該バーストがＧＭＳＫバーストとして変調されていることを判断／推定する。低くない場合には、方法９００は、（ステップ９２５において）（８ＰＳＫバーストとしての該バーストのより低い雑音エネルギ値は、該バーストが恐らく８ＰＳＫバーストであることを示しているため）該バーストが８ＰＳＫバーストとして変調されていることを判断／推定する。その後、該方法は終了する。
【００８９】
（セクションＩＶ：改善された検出方法のためのテスト結果）
図１０は、ＴＵ５０チャネル条件下で、１９００ＭＨｚ帯域において、ＧＭＳＫ変調信号を検出する際に、従来の変調検出方法及びバイアス変調検出方法の誤検出レートを比較するグラフ１０００を示す。グラフ１０００は、該バイアス検出方法の検出ブロック誤り率を、ＧＭＳＫ信号のＳＮＲの関数として示す第１の区分ライン１００５を含む。また、グラフ１０００は、従来の検出方法の検出ブロック誤り率を、ＧＭＳＫ信号のＳＮＲの関数として示す第２の区分ライン１０１０も含む。
【００９０】
図１１は、ＴＵ５０チャネル条件下で、１９００ＭＨｚ帯域において、８ＰＳＫ変調信号を検出する際に、従来の変調検出方法及びバイアス変調検出方法の誤検出レートを比較するグラフ１１００を示す。グラフ１１００は、バイアス検出方法の検出ブロック誤り率を、８ＰＳＫ信号のＳＮＲの関数として示す第１の区分ライン１１０５を含む。また、グラフ１１００は、従来の検出方法の検出ブロック誤り率を、８ＰＳＫ信号のＳＮＲの関数として示す第２の区分ライン１１１０も含む。
【００９１】
図１０及び図１１は、バイアス変調検出方法においては、ＧＭＳＫ及び８ＰＳＫの両方の場合に対して、従来の変調検出方法に優る約３〜５ｄｂの改善があったことを示している（すなわち、バイアス検出方法は、同じ検出誤り率を有する従来の検出方法よりも３〜５ｄｂ小さい信号レベルにおいて、変調検出を実行する）。
【００９２】
図１２は、ＴＵ５０チャネル条件下で、１９００ＭＨｚ帯域において、ＧＭＳＫ変調信号を検出する際に、従来の変調検出方法及びバイアス変調検出方法の全体のビット誤り率（ｂｉｔ  ｅｒｒｏｒ  ｒａｔｅ；ＢＥＲ）パフォーマンスを比較するグラフ１２００を示す。グラフ１２００は、バイアス検出方法の検出ビット誤り率を、ＧＭＳＫ信号のＳＮＲの関数として示す第１の区分ライン１２０５を含む。また、グラフ１２００は、従来の検出方法の検出ビット誤り率を、ＧＭＳＫ信号のＳＮＲの関数として示す第２の区分ライン１２１０も含む。図１２は、バイアス検出方法のビット誤り率が、１０％ＢＥＲポイントにおいて、従来の検出方法よりも０．２５〜０．５ｄｂだけ改善されたことを示している。この改善された検出パフォーマンスは、ブロック誤り率（ｂｌｏｃｋ  ｅｒｒｏｒ  ｒａｔｅ；ＢＬＥＲ）の改善ももたらす。
【００９３】
図１０、図１２及び図１２に示されているように、テスト結果は、従来の検出方法よりも優る、バイアス検出方法の変調検出精度の改善が見られることを示している。
【００９４】
図１３は、いくつかの実施形態が、それによって実施されるコンピュータシステム１３００を示す。いくつかの実施形態において、コンピュータシステム１３００は、受信デバイス（携帯端末）を備える。コンピュータシステム１３００は、バス１３０５と、プロセッサ１３１０と、システムメモリ１３１５と、読出し専用メモリ１３２０と、永久記憶デバイス１３２５と、入力デバイス１３３０と、出力デバイス１３３５とを含む。
【００９５】
バス１３０５は、コンピュータシステム１３００の多数の内部デバイスを伝達可能に接続する全てのシステムバス、周辺機器用バス及びチップセットバスをまとめて表す。例えば、バス１３０５は、プロセッサ１３１０を、読出し専用メモリ１３２０、システムメモリ１３１５及び永久記憶デバイス１３２５と伝達可能に接続する。
【００９６】
読出し専用メモリ（ＲＯＭ）１３２０は、プロセッサ１３１０及び該コンピュータシステムの他のモジュールによって必要とされる静的データ及び命令を格納する。一方、永久記憶デバイス１３２５は、読出し／書込みメモリデバイスである。このデバイスは、コンピュータシステム１３００がオフであっても、命令及びデータを格納する非揮発性メモリユニットである。いくつかの実施形態は、（磁気ディスク又は光ディスク、及び対応するディスクドライブ等の）大容量記憶デバイスを、永久記憶デバイス１３２５として用いる。他の実施形態は、（フロッピー（登録商標）ディスク又はジップディスク（登録商標）及び対応するディスクドライブ等の）リムーバブル記憶装置を該永久記憶デバイスとして用いる。
【００９７】
永久記憶デバイス１３２５と同様に、システムメモリ１３１５は、読出し／書込みメモリデバイスである。しかし、記憶デバイス１３２５とは違って、該システムメモリは、ランダムアクセスメモリ（ＲＡＭ）等の揮発性読出し／書込みメモリである。該システムメモリは、該プロセッサが実行時に必要とする命令及びデータのうちのいくつかを格納する。
【００９８】
いくつかの実施形態の方法を実行するのに必要な命令及び／又はデータは、システムメモリ１３１５、永久記憶デバイス１３２５、読出し専用メモリ１３２０、又は、これら３つのうちのいずれかの組合せに格納されている。例えば、様々な記憶装置が、いくつかの実施形態に従って、受信信号の変調フォーマットタイプを検出する命令を含むことができる。これらの様々な記憶装置から、プロセッサ１３１０は、いくつかの実施形態のプロセスを実行するために、実行する命令、及び処理するデータを検索する。
【００９９】
バス１３０５は、入力デバイス１３３０及び出力デバイス１３３５にも接続されている。入力デバイス１３３０は、ユーザが、情報を伝達し、コンピュータシステム１３００に対するコマンドを選択することを可能にする。入力デバイス１３３０は、英数字キーボード及びカーソルコントローラを含む。出力デバイス１３３５は、コンピュータシステム１３００によって生成されたイメージを表示する。該出力デバイスは、プリンタと、ブラウン管（ＣＲＴ）又は液晶ディスプレイ（ＬＣＤ）等の表示装置とを含む。
【０１００】
最後に、図１３に示すように、バス１３０５は、（無線伝送の形態を介して）コンピュータシステム１３００を、例えば、レシーバ（図示せず）を介してモバイルシステム１３６５にリモート接続する。このようにして、コンピュータシステム１３００は、モバイルシステム１３６５の一部とすることができる。コンピュータシステム１３００の構成要素のいずれか又は全ては、いくつかの実施形態と共に用いることができる。しかし、当業者は、他の何らかのシステム構成も、他の実施形態と共に用いることができることを正しく理解できるであろう。
【０１０１】
当業者は、情報及び信号を、様々な異なるテクノロジー及び技術のいずれかを用いて表すことができることを理解するであろう。例えば、上記の説明を通して参照することのできるデータ、命令、コマンド、情報、信号、ビット、シンボル及びチップは、電圧、電流、電磁波、磁界又は粒子、光場又は粒子、あるいはこれらのいずれかの組合せによって表すことができる。
【０１０２】
さらに、当業者は、様々な例示的な論理ブロック、モジュール、回路、及び本明細書に開示した実施形態に関して説明した方法ステップを、電子ハードウェア、コンピュータソフトウェア又はこれらの組合せとして実施することができることを正しく理解できるであろう。このハードウェアとソフトウェアの互換性を明確に説明するため、様々な例示的なコンポーネント、ブロック、モジュール、回路及びステップを、概してこれらの機能に関して上述してきた。このような機能が、ハードウェアとして実施されるか、又はソフトウェアとして実施されるかは、システム全体に課せられた特定の用途及びデザイン上の制約による。当業者は、各特定の用途に対して様々な方法で、記載した機能を実施することができるが、このような実施の決定は、本発明の範囲からの逸脱を生じるものとして解釈すべきでない。
【０１０３】
本明細書に開示した実施形態と共に説明した様々な例示的な論理ブロック、モジュール及び回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理、ディスクリートハードウエアコンポーネント、あるいは、本明細書に記載した機能を実行するようにデザインされたこれらのいずれかの組合せによって、実施又は実行することができる。汎用プロセッサは、マイクロプロセッサとすることができるが、代替例においては、該プロセッサは、何らかの従来のプロセッサ、コントローラ、マイクロコントローラ又は状態マシンとしてもよい。また、プロセッサは、コンピュータデバイスの組合せ、例えば、ＤＳＰとマイクロプロセッサの組合せ、複数のマイクロプロセッサ、ＤＳＰコアと連動する１つ以上のマイクロプロセッサ、又は、他のこのような構成として実施することができる。
【０１０４】
本明細書に開示した実施形態と共に説明した方法のステップは、直接ハードウェアに（すなわち、ハードウェアに組み込む）、プロセッサによって実行されるソフトウェアモジュールに、又は、これら２つの組合せに具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野において公知の他の何らかの形態の記憶媒体内に存在することができる。例示的な記憶媒体は、プロセッサが、該記憶媒体から情報を読出し、かつ該記憶媒体に情報を書き込むことができるように、該プロセッサに結合される。代替例においては、該記憶媒体は、該プロセッサと一体化することができる。該プロセッサ及び記憶媒体は、ＡＳＩＣ内に存在することができる。該ＡＳＩＣは、携帯端末内に存在することができる。代替例においては、該プロセッサ及び記憶媒体は、携帯端末内において、ディスクリートコンポーネントとして存在することができる。
【０１０５】
開示した実施形態のこれまでの説明は、当業者が、本発明を実行又は用いることを可能にするように記載されている。これらの実施形態に対する様々な変更は、当業者には容易に理解できるであろうし、また、本明細書で定義した包括的原理は、本発明の趣旨及び範囲から逸脱することなく、他の実施形態に適用することができる。従って、本発明は、本明細書に示された実施形態に限定されるように意図されてはおらず、本明細書に開示した原理及び新規な特徴と一致する最も広い範囲を認めるべきである。
【図面の簡単な説明】
【０１０６】
【図１】移動体通信システムの図である。
【図２】移動体通信システムに用いられる様々な構成要素を概念的に説明する図である。
【図３】各ブロックが４つのデータのバーストを備える、データブロックを備える信号の概念的図を示す。
【図４】ＧＭＳＫ変調信号を検出する際の従来の方法の検出及び誤検出の場合のＳＮＲ統計結果を示すグラフを示す。
【図５】ＧＭＳＫ変調信号を検出する際の従来の方法のデータブロックごとの誤検出のＳＮＲ統計結果を示すグラフを示す。
【図６Ａ】バーストのＳＮＲ値を用いて、受信信号のバーストの変調フォーマットタイプを検出する改善されたバイアス方法のフローチャートである。
【図６Ｂ】バーストのＳＮＲ値を用いて、受信信号のバーストの変調フォーマットタイプを検出する改善されたバイアス方法のフローチャートである。
【図７Ａ】バーストの雑音エネルギ値を用いて、受信信号のバーストの変調フォーマットタイプを検出する改善されたバイアス方法のフローチャートである。
【図７Ｂ】バーストの雑音エネルギ値を用いて、受信信号のバーストの変調フォーマットタイプを検出する改善されたバイアス方法のフローチャートである。
【図８】データブロックのバーストの変調フォーマットタイプを検出するＳＮＲベースの方法のフローチャートである。
【図９】データブロックのバーストの変調フォーマットタイプを検出する雑音エネルギベースの方法のフローチャートである。
【図１０】ＧＭＳＫ変調信号を検出する際の従来の変調検出方法及びバイアス変調検出方法の誤検出レートを比較するグラフを示す。
【図１１】８ＰＳＫ変調信号を検出する際の従来の変調検出方法及びバイアス変調検出方法の誤検出レートを比較するグラフを示す。
【図１２】ＧＭＳＫ変調信号を検出する際の従来の変調検出方法及びバイアス変調検出方法の全体のビット誤り率（ＢＥＲ）パフォーマンスを比較するグラフを示す。
【図１３】いくつかの実施形態が、それを用いて実施されるコンピュータシステムを示す。
【図１】
2008535323.tif 000006
【図２】
2008535323.tif 000007
【図３】
2008535323.tif 000008
【図４】
2008535323.tif 000009
【図５】
2008535323.tif 000010
【図６Ａ】
2008535323.tif 000011
【図６Ｂ】
2008535323.tif 000012
【図７Ａ】
2008535323.tif 000013
【図７Ｂ】
2008535323.tif 000014
【図８】
2008535323.tif 000015
【図９】
2008535323.tif 000016
【図１０】
2008535323.tif 000017
【図１１】
2008535323.tif 000018
【図１２】
2008535323.tif 000019
【図１３】
2008535323.tif 000020
【国際調査報告】
2008535323.tif 000021
2008535323.tif 000022
2008535323.tif 000023